【手続補正書】
【提出日】平成16年5月13日(2004.5.13)
【手続補正１】
【補正対象書類名】明細書
【補正対象項目名】発明の名称
【補正方法】変更
【補正の内容】
【発明の名称】情報提供システム、登録端末、携帯端末、情報提供プログラムを記憶した記憶媒体、位置関係判定プログラムを記憶した記憶媒体及び情報選択プログラムを記憶した記憶媒体、並びに情報提供方法
【手続補正２】
【補正対象書類名】明細書
【補正対象項目名】特許請求の範囲
【補正方法】変更
【補正の内容】
【特許請求の範囲】
【請求項１】
携帯端末と、前記携帯端末の利用対象となる利用対象情報を登録する登録端末とを通信可能に接続し、前記登録端末の利用対象情報を前記携帯端末に提供するシステムであって、
前記登録端末は、異なる複数の前記利用対象情報を一つの情報グループとして関連付けるとともに、前記情報グループを、基準となる基準位置を特定するための基準位置情報と対応付けて登録するようになっており、
前記登録端末の利用対象情報を前記携帯端末に提供するには、前記情報グループに対応する基準位置情報により特定される基準位置と前記携帯端末との位置関係に基づいて、当該情報グループのなかから前記利用対象情報を選択し、選択した利用対象情報を前記携帯端末に送信するようになっていることを特徴とする情報提供システム。
【請求項２】
請求項１において、
前記登録端末は、前記情報グループを前記基準位置情報と対応付けて記憶するための記憶手段を有し、前記利用対象情報の送信要求とともに前記携帯端末の位置を特定するための携帯端末位置情報を受信したときは、受信した送信要求に係る情報グループに対応する基準位置情報により特定される基準位置と、受信した携帯端末位置情報により特定される位置との位置関係に基づいて、受信した送信要求に係る情報グループのなかから前記利用対象情報を選択し、選択した利用対象情報を前記携帯端末に送信するようになっており、
前記携帯端末は、前記携帯端末位置情報を取得する位置情報取得手段を有し、前記位置情報取得手段で取得した携帯端末位置情報を前記送信要求とともに前記登録端末に送信するようになっていることを特徴とする情報提供システム。
【請求項３】
請求項１において、
前記登録端末は、前記情報グループを前記基準位置情報と対応付けて記憶するための記憶手段を有し、前記利用対象情報の送信要求を受信したときは、受信した送信要求に係る情報グループに対応する基準位置情報を前記携帯端末に送信し、前記基準位置情報の送信に伴って前記携帯端末による判定結果を受信したときは、受信した判定結果に基づいて、受信した送信要求に係る情報グループのなかから前記利用対象情報を選択し、選択した利用対象情報を前記携帯端末に送信するようになっており、
前記携帯端末は、当該携帯端末の位置を特定するための携帯端末位置情報を取得する位置情報取得手段を有し、前記送信要求の送信に伴って前記基準位置情報を受信したときは、受信した基準位置情報により特定される基準位置と、前記位置情報取得手段で取得した携帯端末位置情報により特定される位置との位置関係を判定し、その判定結果を前記登録端末に送信するようになっていることを特徴とする情報提供システム。
【請求項４】
請求項１において、
前記登録端末は、前記情報グループを前記基準位置情報と対応付けて記憶するための記憶手段を有し、前記利用対象情報の送信要求を受信したときは、受信した送信要求に係る情報グループ及びそれに対応する基準位置情報を前記携帯端末に送信するようになっており、
前記携帯端末は、当該携帯端末の位置を特定するための携帯端末位置情報を取得する位置情報取得手段を有し、前記送信要求の送信に伴って前記情報グループ及び前記基準位置情報を受信したときは、受信した基準位置情報により特定される基準位置と、前記位置情報取得手段で取得した携帯端末位置情報により特定される位置との位置関係に基づいて、受信した情報グループのなかから前記利用対象情報を選択するようになっていることを特徴とする情報提供システム。
【請求項５】
請求項１において、
前記登録端末は、前記情報グループを前記基準位置情報と対応付けて記憶するとともにプログラムデータを記憶するための記憶手段を有し、前記利用対象情報の送信要求を受信したときは、受信した送信要求に係る情報グループ及びそれに対応する基準位置情報並びに前記プログラムデータを前記携帯端末に送信するようになっており、
前記プログラムデータは、前記基準位置情報により特定される基準位置と、前記携帯端末の位置を特定するための携帯端末位置情報により特定される位置との位置関係に基づいて、前記情報グループのなかから前記利用対象情報を選択する処理を前記携帯端末に実行させるためのプログラムデータであり、
前記携帯端末は、前記携帯端末位置情報を取得する位置情報取得手段を有し、前記送信要求の送信に伴って前記情報グループ及び前記基準位置情報並びに前記プログラムデータを受信したときは、受信したプログラムデータに基づいて処理を実行し、前記利用対象情報を選択するようになっていることを特徴とする情報提供システム。
【請求項６】
請求項２乃至５のいずれかにおいて、
前記情報グループは、第１の利用対象情報と、前記第１の利用対象情報よりも詳細な内容となる第２の利用対象情報とを関連付けてなり、
前記利用対象情報の選択では、前記基準位置情報により特定される基準位置と前記携帯端末位置情報により特定される位置との距離が第１の所定範囲内になったときは、前記情報グループのなかから前記第１の利用対象情報を選択し、前記基準位置情報により特定される基準位置と前記携帯端末位置情報により特定される位置との距離が、前記第１の所定範囲よりも小さい第２の所定範囲内になったときは、前記情報グループのなかから前記第２の利用対象情報を選択するようになっていることを特徴とする情報提供システム。
【請求項７】
請求項２乃至５のいずれかにおいて、
前記情報グループは、第１の利用対象情報と、前記第１の利用対象情報の内容に加えて前記第１の利用対象情報よりも詳細な内容を含む第２の利用対象情報とを関連付けてなり、
前記利用対象情報の選択では、前記基準位置情報により特定される基準位置と前記携帯端末位置情報により特定される位置との距離が第１の所定範囲内になったときは、前記情報グループのなかから前記第１の利用対象情報を選択し、前記基準位置情報により特定される基準位置と前記携帯端末位置情報により特定される位置との距離が、前記第１の所定範囲よりも小さい第２の所定範囲内になったときは、前記情報グループのなかから前記第２の利用対象情報を選択するようになっていることを特徴とする情報提供システム。
【請求項８】
請求項２乃至７のいずれかにおいて、
前記登録端末は、前記利用対象情報を登録した外部端末と通信可能に接続し、さらに、前記利用対象情報を前記外部端末から取得する利用対象情報取得手段を有し、
前記利用対象情報取得手段で取得した利用対象情報を前記記憶手段に記憶するようになっていることを特徴とする情報提供システム。
【請求項９】
請求項２記載の情報提供システムにおける携帯端末と通信可能に接続する登録端末であって、
前記情報グループを前記基準位置情報と対応付けて記憶するための記憶手段を備え、
前記送信要求とともに前記携帯端末位置情報を受信したときは、受信した送信要求に係る情報グループに対応する基準位置情報により特定される基準位置と、受信した携帯端末位置情報により特定される位置との位置関係に基づいて、受信した送信要求に係る情報グループのなかから前記利用対象情報を選択し、選択した利用対象情報を前記携帯端末に送信するようになっていることを特徴とする登録端末。
【請求項１０】
請求項３記載の情報提供システムにおける携帯端末と通信可能に接続する登録端末であって、
前記情報グループを前記基準位置情報と対応付けて記憶するための記憶手段を備え、
前記送信要求を受信したときは、受信した送信要求に係る情報グループに対応する基準位置情報を前記携帯端末に送信し、前記基準位置情報の送信に伴って前記判定結果を受信したときは、受信した判定結果に基づいて、受信した送信要求に係る情報グループのなかから前記利用対象情報を選択し、選択した利用対象情報を前記携帯端末に送信するようになっていることを特徴とする登録端末。
【請求項１１】
請求項５記載の情報提供システムにおける携帯端末と通信可能に接続する登録端末であって、
前記情報グループを前記基準位置情報と対応付けて記憶するとともに前記プログラムデータを記憶するための記憶手段を備え、
前記送信要求を受信したときは、受信した送信要求に係る情報グループ及びそれに対応する基準位置情報並びに前記プログラムデータを前記携帯端末に送信するようになっていることを特徴とする登録端末。
【請求項１２】
請求項３記載の情報提供システムにおける登録端末と通信可能に接続する携帯端末であって、
前記携帯端末位置情報を取得する位置情報取得手段を備え、
前記送信要求の送信に伴って前記基準位置情報を受信したときは、受信した基準位置情報により特定される基準位置と、前記位置情報取得手段で取得した携帯端末位置情報により特定される位置との位置関係を判定し、その判定結果を前記登録端末に送信するようになっていることを特徴とする携帯端末。
【請求項１３】
請求項４記載の情報提供システムにおける登録端末と通信可能に接続する携帯端末であって、
前記携帯端末位置情報を取得する位置情報取得手段を備え、
前記送信要求の送信に伴って前記情報グループ及び前記基準位置情報を受信したときは、受信した基準位置情報により特定される基準位置と、前記位置情報取得手段で取得した携帯端末位置情報により特定される位置との位置関係に基づいて、受信した情報グループのなかから前記利用対象情報を選択するようになっていることを特徴とする携帯端末。
【請求項１４】
携帯端末の利用対象となる利用対象情報を登録する端末であって、
同一の内容につき情報量の異なる複数の前記利用対象情報を一つの情報グループとして関連付けるとともに、前記情報グループを、基準となる基準位置を特定するための基準位置情報と対応付けて記憶するための記憶手段を備え、
前記利用対象情報の送信要求とともに前記携帯端末の位置を特定するための携帯端末位置情報を受信したときは、受信した送信要求に係る情報グループに対応する基準位置情報により特定される基準位置と、受信した携帯端末位置情報により特定される位置との位置関係に基づいて、受信した送信要求に係る情報グループのなかから前記利用対象情報を選択し、選択した利用対象情報を前記携帯端末に送信するようになっていることを特徴とする登録端末。
【請求項１５】
携帯端末の利用対象となる利用対象情報を登録する端末であって、
同一の内容につき情報量の異なる複数の前記利用対象情報を一つの情報グループとして関連付けるとともに、前記情報グループを、基準となる基準位置を特定するための基準位置情報と対応付けて記憶するための記憶手段を備え、
前記利用対象情報の送信要求を受信したときは、受信した送信要求に係る情報グループに対応する基準位置情報を前記携帯端末に送信し、前記基準位置情報の送信に伴って前記携帯端末による判定結果を受信したときは、受信した判定結果に基づいて、受信した送信要求に係る情報グループのなかから前記利用対象情報を選択し、選択した利用対象情報を前記携帯端末に送信するようになっていることを特徴とする登録端末。
【請求項１６】
携帯端末の利用対象となる利用対象情報を登録する端末であって、
同一の内容につき情報量の異なる複数の前記利用対象情報を一つの情報グループとして関連付けるとともに、前記情報グループを、基準となる基準位置を特定するための基準位置情報と対応付けて記憶し、且つ、プログラムデータを記憶するための記憶手段を備え、
前記プログラムデータは、前記基準位置情報により特定される基準位置と、前記携帯端末の位置を特定するための携帯端末位置情報により特定される位置との位置関係に基づいて、前記情報グループのなかから前記利用対象情報を選択する処理を前記携帯端末に実行させるためのプログラムデータであり、
前記利用対象情報の送信要求を受信したときは、受信した送信要求に係る情報グループ及びそれに対応する基準位置情報並びに前記プログラムデータを前記携帯端末に送信するようになっていることを特徴とする登録端末。
【請求項１７】
携帯端末の利用対象となる利用対象情報を提供するプログラムを記憶した記憶媒体であって、
同一の内容につき情報量の異なる複数の前記利用対象情報を一つの情報グループとして関連付けるとともに、前記情報グループを、基準となる基準位置を特定するための基準位置情報と対応付けて記憶するための記憶手段を利用可能なコンピュータに対し、
前記利用対象情報の送信要求とともに前記携帯端末の位置を特定するための携帯端末位置情報を受信したときは、受信した送信要求に係る情報グループに対応する基準位置情報により特定される基準位置と、受信した携帯端末位置情報により特定される位置との位置関係に基づいて、受信した送信要求に係る情報グループのなかから前記利用対象情報を選択し、選択した利用対象情報を前記携帯端末に送信する処理を実行させるための情報提供プログラムを記憶したコンピュータ読み取り可能な記憶媒体。
【請求項１８】
携帯端末の利用対象となる利用対象情報を提供するプログラムを記憶した記憶媒体であって、
同一の内容につき情報量の異なる複数の前記利用対象情報を一つの情報グループとして関連付けるとともに、前記情報グループを、基準となる基準位置を特定するための基準位置情報と対応付けて記憶するための記憶手段を利用可能なコンピュータに対し、
前記利用対象情報の送信要求を受信したときは、受信した送信要求に係る情報グループに対応する基準位置情報を前記携帯端末に送信し、前記基準位置情報の送信に伴って前記携帯端末による判定結果を受信したときは、受信した判定結果に基づいて、受信した送信要求に係る情報グループのなかから前記利用対象情報を選択し、選択した利用対象情報を前記携帯端末に送信する処理を実行させるための情報提供プログラムを記憶したコンピュータ読み取り可能な記憶媒体。
【請求項１９】
携帯端末の利用対象となる利用対象情報を提供するプログラムを記憶した記憶媒体であって、
同一の内容につき情報量の異なる複数の前記利用対象情報を一つの情報グループとして関連付けるとともに、前記情報グループを、基準となる基準位置を特定するための基準位置情報と対応付けて記憶し、且つ、プログラムデータを記憶するための記憶手段を利用可能なコンピュータに対し、
前記プログラムデータは、前記基準位置情報により特定される基準位置と、前記携帯端末の位置を特定するための携帯端末位置情報により特定される位置との位置関係に基づいて、前記情報グループのなかから前記利用対象情報を選択する処理を前記携帯端末に実行させるためのプログラムデータであり、
前記利用対象情報の送信要求を受信したときは、受信した送信要求に係る情報グループ及びそれに対応する基準位置情報並びに前記プログラムデータを前記携帯端末に送信する処理を実行させるための情報提供プログラムを記憶したコンピュータ読み取り可能な記憶媒体。
【請求項２０】
携帯端末の位置を特定するための携帯端末位置情報を取得する位置情報取得手段を利用可能なコンピュータに対し、
前記携帯端末の利用対象となる利用対象情報の送信要求の送信に伴って、基準となる基準位置を特定するための基準位置情報を受信したときは、受信した基準位置情報により特定される基準位置と、前記位置情報取得手段で取得した携帯端末位置情報により特定される位置との位置関係を判定し、その判定結果を登録端末に送信する処理を実行させるための位置関係判定プログラムを記憶したコンピュータ読み取り可能な記憶媒体。
【請求項２１】
携帯端末の位置を特定するための携帯端末位置情報を取得する位置情報取得手段を利用可能なコンピュータに対し、
前記携帯端末の利用対象となる利用対象情報の送信要求の送信に伴って、同一の内容につき情報量の異なる複数の前記利用対象情報を含む情報グループ及び基準となる基準位置を特定するための基準位置情報を受信したときは、受信した基準位置情報により特定される基準位置と、前記位置情報取得手段で取得した携帯端末位置情報により特定される位置との位置関係に基づいて、受信した情報グループのなかから前記利用対象情報を選択する処理を実行させるための情報選択プログラムを記憶したコンピュータ読み取り可能な記憶媒体。
【請求項２２】
携帯端末と、前記携帯端末の利用対象となる利用対象情報を登録する登録端末とを通信可能に接続し、前記登録端末の利用対象情報を前記携帯端末に提供する方法であって、
同一の内容につき情報量の異なる複数の前記利用対象情報を一つの情報グループとして関連付けるとともに、前記情報グループを、基準となる基準位置を特定するための基準位置情報と対応付けて前記登録端末に登録し、
前記情報グループに対応する基準位置情報により特定される基準位置と、前記携帯端末との位置関係に基づいて、当該情報グループのなかから前記利用対象情報を選択し、選択した利用対象情報を前記携帯端末に送信することを特徴とする情報提供方法。
【手続補正３】
【補正対象書類名】明細書
【補正対象項目名】０００１
【補正方法】変更
【補正の内容】
【０００１】
【発明の属する技術分野】
本発明は、携帯端末と、利用対象情報を登録する登録端末とをネットワークを介して接続し、登録端末の利用対象情報を携帯端末に提供するシステム、端末および記憶媒体、並びに方法に係り、特に、ユーザの位置に応じて適切な情報を提供するとともに、ユーザによる情報の入手を容易とするのに好適な情報提供システム、登録端末、携帯端末、情報提供プログラムを記憶した記憶媒体、位置関係判定プログラムを記憶した記憶媒体及び情報選択プログラムを記憶した記憶媒体、並びに情報提供方法に関する。
【手続補正４】
【補正対象書類名】明細書
【補正対象項目名】０００７
【補正方法】変更
【補正の内容】
【０００７】
そこで、本発明は、このような従来の技術の有する未解決の課題に着目してなされたものであって、ユーザの位置に応じて適切な情報を提供するとともに、ユーザによる情報の入手を容易とするのに好適な情報提供システム、登録端末、携帯端末、情報提供プログラムを記憶した記憶媒体、位置関係判定プログラムを記憶した記憶媒体及び情報選択プログラムを記憶した記憶媒体、並びに情報提供方法を提供することを目的としている。
【手続補正５】
【補正対象書類名】明細書
【補正対象項目名】０００９
【補正方法】変更
【補正の内容】
【０００９】
このような構成であれば、登録端末の利用対象情報を携帯端末に提供するには、情報グループに対応する基準位置情報により特定される基準位置と携帯端末との位置関係に基づいて、その情報グループのなかから利用対象情報が選択され、選択された利用対象情報が携帯端末に送信される。
ここで、位置関係の判定は、登録端末および携帯端末のいずれか一方または両方で行うようになっていればよいが、これに限らず、さらには、登録端末および携帯端末以外の別の端末で行うようになっていてもよい。以下、請求項２２記載の情報提供方法において同じである。
【手続補正６】
【補正対象書類名】明細書
【補正対象項目名】００１０
【補正方法】変更
【補正の内容】
【００１０】
また、携帯端末の位置は、ＧＰＳ（Global Positioning System）等により、携帯端末または携帯端末が通信する基地局からの位置情報に基づいて詳細に特定するようになっていてもよいし、携帯端末が特定の基地局の通信エリアに属したか否かを判定することによりその特定の基地局の位置をもって大まかに特定するようになっていてもよい。以下、請求項２２記載の情報提供方法において同じである。
【手続補正７】
【補正対象書類名】明細書
【補正対象項目名】００１１
【補正方法】変更
【補正の内容】
【００１１】
また、携帯端末の位置は、基準位置との相対的な位置として特定するようになっていてもよいし、緯度および経度等を用いて絶対的な位置として特定するようになっていてもよい。以下、請求項２２記載の情報提供方法において同じである。
また、登録端末は、利用対象情報をあらゆる手段でかつあらゆる時期に記憶するものであり、利用対象情報をあらかじめ記憶してあるものであってもよいし、利用対象情報をあらかじめ記憶することなく、本装置の動作時に外部からの入力等によって利用対象情報を記憶するようになっていてもよい。
【手続補正８】
【補正対象書類名】明細書
【補正対象項目名】００１４
【補正方法】変更
【補正の内容】
【００１４】
ここで、記憶手段は、利用対象情報をあらゆる手段でかつあらゆる時期に記憶するものであり、利用対象情報をあらかじめ記憶してあるものであってもよいし、利用対象情報をあらかじめ記憶することなく、本装置の動作時に外部からの入力等によって利用対象情報を記憶するようになっていてもよい。以下、請求項３ないし５記載の情報提供システム、請求項９ないし１１および１４ないし１６記載の登録端末、並びに請求項１７ないし１９記載の情報提供プログラムを記憶した記憶媒体において同じである。
【手続補正９】
【補正対象書類名】明細書
【補正対象項目名】００３２
【補正方法】変更
【補正の内容】
【００３２】
このような構成であれば、請求項４記載の情報提供システムにおける携帯端末と同等の作用が得られる。
一方、上記目的を達成するために、本発明に係る請求項１４記載の登録端末は、携帯端末の利用対象となる利用対象情報を登録する端末であって、同一の内容につき情報量の異なる複数の前記利用対象情報を一つの情報グループとして関連付けるとともに、前記情報グループを、基準となる基準位置を特定するための基準位置情報と対応付けて記憶するための記憶手段を備え、前記利用対象情報の送信要求とともに前記携帯端末の位置を特定するための携帯端末位置情報を受信したときは、受信した送信要求に係る情報グループに対応する基準位置情報により特定される基準位置と、受信した携帯端末位置情報により特定される位置との位置関係に基づいて、受信した送信要求に係る情報グループのなかから前記利用対象情報を選択し、選択した利用対象情報を前記携帯端末に送信するようになっている。
このような構成であれば、請求項２記載の情報提供システムにおける登録端末と同等の作用が得られる。
さらに、本発明に係る請求項１５記載の登録端末は、携帯端末の利用対象となる利用対象情報を登録する端末であって、同一の内容につき情報量の異なる複数の前記利用対象情報を一つの情報グループとして関連付けるとともに、前記情報グループを、基準となる基準位置を特定するための基準位置情報と対応付けて記憶するための記憶手段を備え、前記利用対象情報の送信要求を受信したときは、受信した送信要求に係る情報グループに対応する基準位置情報を前記携帯端末に送信し、前記基準位置情報の送信に伴って前記携帯端末による判定結果を受信したときは、受信した判定結果に基づいて、受信した送信要求に係る情報グループのなかから前記利用対象情報を選択し、選択した利用対象情報を前記携帯端末に送信するようになっている。
このような構成であれば、請求項３記載の情報提供システムにおける登録端末と同等の作用が得られる。
さらに、本発明に係る請求項１６記載の登録端末は、携帯端末の利用対象となる利用対象情報を登録する端末であって、同一の内容につき情報量の異なる複数の前記利用対象情報を一つの情報グループとして関連付けるとともに、前記情報グループを、基準となる基準位置を特定するための基準位置情報と対応付けて記憶し、かつ、プログラムデータを記憶するための記憶手段を備え、前記プログラムデータは、前記基準位置情報により特定される基準位置と、前記携帯端末の位置を特定するための携帯端末位置情報により特定される位置との位置関係に基づいて、前記情報グループのなかから前記利用対象情報を選択する処理を前記携帯端末に実行させるためのプログラムデータであり、前記利用対象情報の送信要求を受信したときは、受信した送信要求に係る情報グループおよびそれに対応する基準位置情報並びに前記プログラムデータを前記携帯端末に送信するようになっている。
このような構成であれば、請求項５記載の情報提供システムにおける登録端末と同等の作用が得られる。
一方、上記目的を達成するために、本発明に係る請求項１７記載の情報提供プログラムを記憶した記憶媒体は、携帯端末の利用対象となる利用対象情報を提供するプログラムを記憶した記憶媒体であって、同一の内容につき情報量の異なる複数の前記利用対象情報を一つの情報グループとして関連付けるとともに、前記情報グループを、基準となる基準位置を特定するための基準位置情報と対応付けて記憶するための記憶手段を利用可能なコンピュータに対し、前記利用対象情報の送信要求とともに前記携帯端末の位置を特定するための携帯端末位置情報を受信したときは、受信した送信要求に係る情報グループに対応する基準位置情報により特定される基準位置と、受信した携帯端末位置情報により特定される位置との位置関係に基づいて、受信した送信要求に係る情報グループのなかから前記利用対象情報を選択し、選択した利用対象情報を前記携帯端末に送信する処理を実行させるための情報提供プログラムを記憶したコンピュータ読み取り可能な記憶媒体である。
このような構成であれば、記憶媒体に記憶されたプログラムがコンピュータによって読み取られ、読み取られたプログラムに従ってコンピュータが実行したときは、請求項２記載の情報利用システムにおける登録端末と同等の作用が得られる。
さらに、本発明に係る請求項１８記載の情報提供プログラムを記憶した記憶媒体は、携帯端末の利用対象となる利用対象情報を提供するプログラムを記憶した記憶媒体であって、同一の内容につき情報量の異なる複数の前記利用対象情報を一つの情報グループとして関連付けるとともに、前記情報グループを、基準となる基準位置を特定するための基準位置情報と対応付けて記憶するための記憶手段を利用可能なコンピュータに対し、前記利用対象情報の送信要求を受信したときは、受信した送信要求に係る情報グループに対応する基準位置情報を前記携帯端末に送信し、前記基準位置情報の送信に伴って前記携帯端末による判定結果を受信したときは、受信した判定結果に基づいて、受信した送信要求に係る情報グループのなかから前記利用対象情報を選択し、選択した利用対象情報を前記携帯端末に送信する処理を実行させるための情報提供プログラムを記憶したコンピュータ読み取り可能な記憶媒体である。
このような構成であれば、記憶媒体に記憶されたプログラムがコンピュータによって読み取られ、読み取られたプログラムに従ってコンピュータが実行したときは、請求項３記載の情報利用システムにおける登録端末と同等の作用が得られる。
さらに、本発明に係る請求項１９記載の情報提供プログラムを記憶した記憶媒体は、携帯端末の利用対象となる利用対象情報を提供するプログラムを記憶した記憶媒体であって、同一の内容につき情報量の異なる複数の前記利用対象情報を一つの情報グループとして関連付けるとともに、前記情報グループを、基準となる基準位置を特定するための基準位置情報と対応付けて記憶し、かつ、プログラムデータを記憶するための記憶手段を利用可能なコンピュータに対し、前記プログラムデータは、前記基準位置情報により特定される基準位置と、前記携帯端末の位置を特定するための携帯端末位置情報により特定される位置との位置関係に基づいて、前記情報グループのなかから前記利用対象情報を選択する処理を前記携帯端末に実行させるためのプログラムデータであり、前記利用対象情報の送信要求を受信したときは、受信した送信要求に係る情報グループおよびそれに対応する基準位置情報並びに前記プログラムデータを前記携帯端末に送信する処理を実行させるための情報提供プログラムを記憶したコンピュータ読み取り可能な記憶媒体である。
このような構成であれば、記憶媒体に記憶されたプログラムがコンピュータによって読み取られ、読み取られたプログラムに従ってコンピュータが実行したときは、請求項５記載の情報利用システムにおける登録端末と同等の作用が得られる。
一方、上記目的を達成するために、本発明に係る請求項２０記載の位置関係判定プログラムを記憶した記憶媒体は、携帯端末の位置を特定するための携帯端末位置情報を取得する位置情報取得手段を利用可能なコンピュータに対し、前記携帯端末の利用対象となる利用対象情報の送信要求の送信に伴って、基準となる基準位置を特定するための基準位置情報を受信したときは、受信した基準位置情報により特定される基準位置と、前記位置情報取得手段で取得した携帯端末位置情報により特定される位置との位置関係を判定し、その判定結果を登録端末に送信する処理を実行させるための位置関係判定プログラムを記憶したコンピュータ読み取り可能な記憶媒体である。
このような構成であれば、記憶媒体に記憶されたプログラムがコンピュータによって読み取られ、読み取られたプログラムに従ってコンピュータが実行したときは、請求項３記載の情報利用システムにおける携帯端末と同等の作用が得られる。
さらに、本発明に係る請求項２１記載の情報選択プログラムを記憶した記憶媒体は、携帯端末の位置を特定するための携帯端末位置情報を取得する位置情報取得手段を利用可能なコンピュータに対し、前記携帯端末の利用対象となる利用対象情報の送信要求の送信に伴って、同一の内容につき情報量の異なる複数の前記利用対象情報を含む情報グループおよび基準となる基準位置を特定するための基準位置情報を受信したときは、受信した基準位置情報により特定される基準位置と、前記位置情報取得手段で取得した携帯端末位置情報により特定される位置との位置関係に基づいて、受信した情報グループのなかから前記利用対象情報を選択する処理を実行させるための情報選択プログラムを記憶したコンピュータ読み取り可能な記憶媒体である。
このような構成であれば、記憶媒体に記憶されたプログラムがコンピュータによって読み取られ、読み取られたプログラムに従ってコンピュータが実行したときは、請求項４記載の情報利用システムにおける携帯端末と同等の作用が得られる。
一方、上記目的を達成するために、本発明に係る請求項２２記載の情報提供方法は、携帯端末と、前記携帯端末の利用対象となる利用対象情報を登録する登録端末とを通信可能に接続し、前記登録端末の利用対象情報を前記携帯端末に提供する方法であって、同一の内容につき情報量の異なる複数の前記利用対象情報を一つの情報グループとして関連付けるとともに、前記情報グループを、基準となる基準位置を特定するための基準位置情報と対応付けて前記登録端末に登録し、前記情報グループに対応する基準位置情報により特定される基準位置と、前記携帯端末との位置関係に基づいて、当該情報グループのなかから前記利用対象情報を選択し、選択した利用対象情報を前記携帯端末に送信する。
以上では、上記目的を達成するための情報提供システム、登録端末および携帯端末を提案したが、これに限らず、上記目的を達成するために、次に掲げる第１および第２の記憶媒体を提案することができる。
【手続補正１０】
【補正対象書類名】明細書
【補正対象項目名】００３６
【補正方法】変更
【補正の内容】
【００３６】
【発明の実施の形態】
以下、本発明の実施の形態を図面を参照しながら説明する。図１ないし図８は、本発明に係る情報提供システム、登録端末、携帯端末、情報提供プログラムを記憶した記憶媒体、位置関係判定プログラムを記憶した記憶媒体及び情報選択プログラムを記憶した記憶媒体、並びに情報提供方法の実施の形態を示す図である。
本実施の形態は、本発明に係る情報提供システム、登録端末、携帯端末、情報提供プログラムを記憶した記憶媒体、位置関係判定プログラムを記憶した記憶媒体及び情報選択プログラムを記憶した記憶媒体、並びに情報提供方法を、図１に示すように、店舗や観光地についての案内情報を登録する登録端末１００と、携帯端末２００とをネットワークを介して接続し、携帯端末２００において登録端末１００から案内情報をダウンロードして閲覧する場合について適用したものである。
【手続補正１１】
【補正対象書類名】明細書
【補正対象項目名】００７７
【補正方法】変更
【補正の内容】
【００７７】
上記実施の形態において、案内情報は、請求項１、２、６、７、９、１４、１７または２２記載の利用対象情報に対応し、案内情報登録ＤＢ４２は、請求項２、９、１４または１７記載の記憶手段に対応し、位置情報取得装置６６は、請求項２記載の位置情報取得手段に対応し、概要情報Ａの提供範囲または一般情報Ｂの提供範囲は、請求項６または７記載の第１の所定範囲に対応している。また、一般情報Ｂの提供範囲または詳細情報Ｃの提供範囲は、請求項６または７記載の第２の所定範囲に対応している。
【手続補正１２】
【補正対象書類名】明細書
【補正対象項目名】００８０
【補正方法】変更
【補正の内容】
【００８０】
これにより、位置関係の判定が携帯端末２００側で行われるので、登録端末１００の処理負荷を低減することができる。
この場合において、案内情報は、請求項１、３、１０、１２、１５、１８、２０または２２記載の利用対象情報に対応し、案内情報登録ＤＢ４２は、請求項３、１０、１５または１８記載の記憶手段に対応し、位置情報取得装置６６は、請求項３、１２または２０記載の位置情報取得手段に対応している。
【手続補正１３】
【補正対象書類名】明細書
【補正対象項目名】００８３
【補正方法】変更
【補正の内容】
【００８３】
これにより、位置関係の判定が携帯端末２００側で行われるので、登録端末１００の処理負荷を低減することができる。この場合において、案内情報は、請求項１、４、１３、２１または２２記載の利用対象情報に対応し、案内情報登録ＤＢ４２は、請求項４記載の記憶手段に対応し、位置情報取得装置６６は、請求項４、１３または２１記載の位置情報取得手段に対応している。
【手続補正１４】
【補正対象書類名】明細書
【補正対象項目名】００８７
【補正方法】変更
【補正の内容】
【００８７】
この場合において、案内情報は、請求項１、５、１６、１９または２２記載の利用対象情報に対応し、案内情報登録ＤＢ４２は、請求項５、１１、１６または１９記載の記憶手段に対応し、位置情報取得装置６６は、請求項５記載の位置情報取得手段に対応している。
また、上記実施の形態においては、案内情報登録ＤＢ４２に案内情報をあらかじめ登録するように構成としたが、これに限らず、登録端末１００は、案内情報を登録した外部端末とインターネット１９９を介して通信可能に接続し、案内情報を外部端末から取得し、取得した案内情報を案内情報登録ＤＢ４２に記憶するように構成してもよい。
【手続補正１５】
【補正対象書類名】明細書
【補正対象項目名】００９２
【補正方法】変更
【補正の内容】
【００９２】
また、上記実施の形態においては、本発明に係る情報提供システム、登録端末、携帯端末、情報提供プログラムを記憶した記憶媒体、位置関係判定プログラムを記憶した記憶媒体及び情報選択プログラムを記憶した記憶媒体、並びに情報提供方法を、インターネット１９９からなるネットワークシステムに適用した場合について説明したが、これに限らず、例えば、インターネット１９９と同一方式により通信を行ういわゆるイントラネットに適用してもよい。もちろん、インターネット１９９と同一方式により通信を行うネットワークに限らず、通常のネットワークに適用することもできる。
【手続補正１６】
【補正対象書類名】明細書
【補正対象項目名】００９３
【補正方法】変更
【補正の内容】
【００９３】
また、上記実施の形態においては、本発明に係る情報提供システム、登録端末、携帯端末、情報提供プログラムを記憶した記憶媒体、位置関係判定プログラムを記憶した記憶媒体及び情報選択プログラムを記憶した記憶媒体、並びに情報提供方法を、図１に示すように、店舗や観光地についての案内情報を登録する登録端末１００と、携帯端末２００とをネットワークを介して接続し、携帯端末２００において登録端末１００から案内情報をダウンロードして閲覧する場合について適用したが、これに限らず、本発明の主旨を逸脱しない範囲で他の場合にも適用可能である。
【手続補正１７】
【補正対象書類名】明細書
【補正対象項目名】００９９
【補正方法】変更
【補正の内容】
【００９９】
さらに、本発明に係る請求項１３記載の携帯端末によれば、請求項４記載の情報提供システムと同等の効果が得られる。
一方、本発明に係る請求項１４記載の登録端末によれば、請求項２記載の情報提供システムと同等の効果が得られる。
さらに、本発明に係る請求項１５記載の登録端末によれば、請求項３記載の情報提供システムと同等の効果が得られる。
さらに、本発明に係る請求項１６記載の登録端末によれば、請求項５記載の情報提供システムと同等の効果が得られる。
一方、本発明に係る請求項１７記載の情報提供プログラムを記憶した記憶媒体によれば、請求項２記載の情報提供システムと同等の効果が得られる。
さらに、本発明に係る請求項１８記載の情報提供プログラムを記憶した記憶媒体によれば、請求項３記載の情報提供システムと同等の効果が得られる。
さらに、本発明に係る請求項１９記載の情報提供プログラムを記憶した記憶媒体によれば、請求項５記載の情報提供システムと同等の効果が得られる。
一方、本発明に係る請求項２０記載の位置関係判定プログラムを記憶した記憶媒体によれば、請求項３記載の情報提供システムと同等の効果が得られる。
さらに、本発明に係る請求項２１記載の情報選択プログラムを記憶した記憶媒体によれば、請求項４記載の情報提供システムと同等の効果が得られる。
一方、本発明に係る請求項２２記載の情報提供方法によれば、請求項１記載の情報提供システムと同等の効果が得られる。